【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
無線周波数（ＲＦ）回路であって、
第１の送信ポートと、第１の受信ポートと、共通ポートと、第３のポートと、
前記第１の送信ポートと前記共通ポートとの間に接続されている送信フィルタと、前記第１の受信ポートと前記共通ポートとの間に接続されている受信フィルタと、を備えた第１のデュプレクサと、
前記第３のポートと前記共通ポートとの間に接続されている第３のフィルタと、
前記第１のデュプレクサの前記共通ポートと前記ＲＦ回路の前記共通ポートとの間に接続されている第１の位相調整器と、
前記第３のフィルタと前記ＲＦ回路の前記共通ポートとの間に接続されている第２の位相調整器と、を備え、
前記第３のフィルタは、バンドパスフィルタであり、
前記ＲＦ回路は、同時に、信号を前記送信フィルタ及び前記第３のフィルタを経由して送る、又は信号を前記受信フィルタ及び前記第３のフィルタを経由して受信するために設けられ、
前記送信フィルタ、前記受信フィルタ、または前記第３のフィルタのうちの少なくとも１つは、同調可能であり、
前記送信フィルタ、前記受信フィルタ、または前記第３のフィルタのうちの少なくとも１つは、並列誘導性素子、３つの直列容量性素子、及び４つの並列パスを備えたフィルタトポロジを備え、前記並列パスの各々は、容量性素子及び誘導製素子を有する並列回路を有する、ＲＦ回路。
【請求項２】
前記第１の位相調整器又は前記第２の位相調整器のうちの少なくとも１つは、同調可能である、請求項１に記載のＲＦ回路。
【請求項３】
第２の送信ポートと、第２の受信ポートと、前記第２の送信ポートと前記共通ポートとの間に接続されている送信フィルタおよび前記第２の受信ポートと前記共通ポートとの間に接続されている受信フィルタを有する第２のデュプレクサと、を更に備える、請求項１又は２に記載のＲＦ回路。
【請求項４】
第６のポートと、前記第６のポートと前記共通ポートとの間に接続されているバンドパスフィルタとして形成された第６のフィルタと、を更に備える、請求項１〜３のいずれか一項に記載のＲＦ回路。
【請求項５】
第１のフィルタと、第２のフィルタと、を有するダイプレクサを更に備える、ＲＦ回路であって、
前記ダイプレクサの前記第１のフィルタは、前記第１のデュプレクサと前記共通ポートとの間に接続され、および前記第３のフィルタと前記共通ポートとの間に接続され、
前記ダイプレクサの前記第２のフィルタは、前記共通ポートに接続され、
前記第１のフィルタ及び前記第２のフィルタは、ハイパスフィルタ及びローパスフィルタから選択される、請求項１〜４のいずれか一項に記載のＲＦ回路。
【請求項６】
前記第１のデュプレクサと前記共通ポートとの間に接続されているアンテナチューナを更に備える、請求項１〜５のいずれか一項に記載のＲＦ回路。
【請求項７】
第１のインピーダンス整合回路と、第２のインピーダンス整合回路と、第３のインピーダンス整合回路と、を更に備える、ＲＦ回路であって、
前記第１のインピーダンス整合回路は、前記第１の送信ポートと前記第１のデュプレクサの前記送信フィルタとの間に接続され、
前記第２のインピーダンス整合回路は、前記第１の受信ポートと前記第１のデュプレクサの前記受信フィルタとの間に接続され、
前記第３のインピーダンス整合回路は、前記第３のポートと前記第３のフィルタとの間に接続されている、請求項１〜６のいずれか一項に記載のＲＦ回路。
【請求項８】
前記第１のインピーダンス整合回路、前記第２のインピーダンス整合回路、又は前記第３のインピーダンス整合回路のうちの少なくとも１つは、同調可能である、請求１〜７に記載のＲＦ回路。
【請求項９】
送信増幅器と、受信増幅器と、第３の増幅器と、を更に備える、ＲＦ回路であって、
前記送信増幅器は、前記第１の送信ポートと前記共通ポートとの間に接続され、
前記受信増幅器は、前記第１の受信ポートと前記共通ポートとの間に接続され、
前記第３の増幅器は、前記第３のポートと前記共通ポートとの間に接続されている、請求項１〜８のいずれか一項に記載のＲＦ回路。
【請求項１０】
前記送信増幅器、前記受信増幅器、又は前記第３の増幅器のうちの少なくとも１つは、同調可能である、請求項１〜９に記載のＲＦ回路。
【請求項１１】
前記フィルタは、４つ又は５つの直列容量性素子を備える、請求項１に記載のＲＦ回路。
【請求項１２】
少なくとも１つの位相調整器又はすべての位相調整器はそれぞれ、
直列容量性素子と、
それぞれ誘導性素子を有する２つの並列パスと、
前記２つの並列パスをアースに接続する容量性素子と、を備える、請求項１〜１０および１１のいずれか一項に記載のＲＦ回路。
【請求項１３】
前記フィルタは、同調可能な誘導性素子又は同調可能な容量性素子を備える、請求項１１又は１２に記載のＲＦ回路。
【請求項１４】
請求項１〜１０および１１〜１３のいずれか一項に記載の前記ＲＦ回路のすべての回路素子を１つの構成素子に集積化した、ＲＦモジュール。
【手続補正２】
【補正対象書類名】明細書
【補正対象項目名】００９０
【補正方法】変更
【補正の内容】
【００９０】
図２２は、ＨＦ回路の周波数に関する同調可能性が同時運用において様々な２つの周波数帯域（この場合はＬＢ帯域５／２６及び帯域８）で良好に機能することを示す。
以下に、本願の出願当初の特許請求の範囲に記載された発明を付記する。
［Ｃ１］
ＨＦ回路（ＨＦＳ）であって、
−第１の送信ポート（ＴＸ１）と、第１の受信ポート（ＲＸ１）と、共通ポート（ＧＰ）と、第３のポート（Ｐ３）と、
−該第１の送信ポート（ＴＸ１）と該共通ポート（ＧＰ）との間で相互接続されている送信フィルタ（ＴＸＦ）と、該第１の受信ポート（ＲＸ１）と該共通ポート（ＧＰ）との間で相互接続されている受信フィルタ（ＲＸＦ）と、を備えた第１のデュプレクサ（ＤＵ１）と、
−該第３のポート（Ｐ３）と該共通ポート（ＧＰ）との間で相互接続されている第３のフィルタ（Ｆ３）と、
−該第１のデュプレクサ（ＤＵ１）の該共通ポート（ＧＰ）と該ＨＦ回路（ＨＦＳ）の該共通ポート（ＧＰ）との間で相互接続されている第１の位相調整器（ＰＳ１）と、
−該第３のフィルタ（Ｆ３）と該ＨＦ回路（ＨＦＳ）の該共通ポート（ＧＰ）との間で相互接続されている第２の位相調整器（ＰＳ２）と、を含み、
−該第３のフィルタ（Ｆ３）は、バンドパスフィルタであり、
−該ＨＦ回路（ＨＦＳ）は、送信信号を該送信フィルタ（ＴＸＦ）及び該第３のフィルタ（Ｆ３）を経由して又は受信信号を該受信フィルタ（ＲＸＦ）及び該第３のフィルタ（Ｆ３）を経由して、同時に送るために設けられ、
−少なくとも１つのフィルタ（ＴＸＦ、ＲＸＦ、Ｆ３）は、同調可能であるか、又はすべてのフィルタ（ＴＸＦ、ＲＸＦ、Ｆ３）は、同調可能である、ＨＦ回路。
［Ｃ２］
少なくとも１つの位相調整器（ＰＳ１、ＰＳ２）又はすべての位相調整器（ＰＳ１、ＰＳ２）は、同調可能である、Ｃ１に記載のＨＦ回路。
［Ｃ３］
第２の送信ポート（ＴＸ２）と、第２の受信ポート（ＲＸ２）と、該第２の送信ポート（ＴＸ２）と前記共通ポート（ＧＰ）との間で相互接続されている送信フィルタ（ＴＸＦ）と、該第２の受信ポート（ＲＸ２）と前記共通ポート（ＧＰ）との間で相互接続されている受信フィルタ（ＲＸＦ）と、を備えた第２のデュプレクサ（ＤＵ２）を更に含む、Ｃ１又は２に記載のＨＦ回路。
［Ｃ４］
第６のポート（Ｐ６）と、該第６のポート（Ｐ６）と前記共通ポート（ＧＰ）との間で相互接続されているバンドパスフィルタとして形成された第６のフィルタ（Ｆ６）と、を更に含む、Ｃ１〜３のいずれか一項に記載のＨＦ回路。
［Ｃ５］
第１のフィルタ（ＴＰＦ、ＨＰＦ）と、第２のフィルタ（ＨＰＦ、ＴＰＦ）と、を備えたダイプレクサ（ＤＩ）を更に含む、ＨＦ回路であって、
−該ダイプレクサ（ＤＩ）の該第１のフィルタ（ＴＰＦ、ＨＰＦ）は、前記第１のデュプレクサ（ＤＵ１）と一方では前記第３のフィルタ（Ｆ３）との間で、他方では前記共通ポート（ＧＰ）との間で相互接続され、
−該ダイプレクサ（ＤＩ）の該第２のフィルタ（ＨＰＦ、ＴＰＦ）は、前記共通ポート（ＧＰ）と相互接続され、
−該第１のフィルタ（ＴＰＦ、ＨＰＦ）及び該第２のフィルタ（ＨＰＦ、ＴＰＦ）は、ハイパスフィルタ及びローパスフィルタから選択される、Ｃ１〜４のいずれか一項に記載のＨＦ回路。
［Ｃ６］
前記第１のデュプレクサ（ＤＵ１）と前記共通ポート（ＧＰ）との間で相互接続されているアンテナチューナ（ＡＴ）を更に含む、Ｃ１〜５のいずれか一項に記載のＨＦ回路。
［Ｃ７］
第１のインピーダンス整合回路（ＩＡＳ）と、第２のインピーダンス整合回路（ＩＡＳ）と、第３のインピーダンス整合回路（ＩＡＳ）と、を更に含む、ＨＦ回路であって、  −該第１のインピーダンス整合回路（ＩＡＳ）は、前記第１の送信ポート（ＴＸ１）と前記第１のデュプレクサ（ＤＵ１）の前記送信フィルタ（ＴＸＦ）との間で相互接続され、
−該第２のインピーダンス整合回路（ＩＡＳ）は、前記第１の受信ポート（ＲＸ１）と前記第１のデュプレクサ（ＤＵ１）の前記受信フィルタ（ＲＸＦ）との間で相互接続され、
−該第３のインピーダンス整合回路（ＩＡＳ）は、前記第３のポート（Ｐ３）と前記第３のフィルタ（Ｆ３）との間で相互接続されている、Ｃ１〜６のいずれか一項に記載のＨＦ回路。
［Ｃ８］
少なくとも１つのインピーダンス整合回路（ＩＡＳ）又はすべてのインピーダンス整合回路（ＩＡＳ）は、同調可能である、請求７に記載のＨＦ回路。
［Ｃ９］
送信増幅器（ＰＡ）と、受信増幅器（ＬＮＡ）と、第３の増幅器と、を更に含む、ＨＦ回路であって、
−該送信増幅器（ＰＡ）は、前記第１の送信ポート（ＴＸ１）と前記共通ポート（ＧＰ）との間で相互接続され、
−該受信増幅器（ＬＮＡ）は、前記第１の受信ポート（ＲＸ１）と前記共通ポート（ＧＰ）との間で相互接続され、
−該第３の増幅器は、前記第３のポート（Ｐ３）と前記共通ポート（ＧＰ）との間で相互接続されている、Ｃ１〜８のいずれか一項に記載のＨＦ回路。
［Ｃ１０］
少なくとも１つの増幅器（ＰＡ、ＬＮＡ）又はすべての増幅器（ＰＡ、ＬＮＡ）は、同調可能である、Ｃ９に記載のＨＦ回路。
［Ｃ１１］
少なくとも１つのフィルタ（ＴＸＦ、ＲＸＦ、Ｆ３、Ｆ６）は、
−並列誘導性素子（ＩＥ）と、
−３つの直列容量性素子（ＫＥ）と、
−容量性素子及び誘導性素子を備えた並列回路をそれぞれ備えた４つの並列パス（ＰＰ）と、を備えたフィルタトポロジを含む、Ｃ１〜１０のいずれか一項に記載のＨＦ回路。
［Ｃ１２］
前記フィルタ（ＴＸＦ、ＲＸＦ、Ｆ３、Ｆ６）は、４つ又は５つの直列容量性素子（ＫＥ）を含む、Ｃ１１に記載のＨＦ回路。
［Ｃ１３］
少なくとも１つの位相調整器（ＰＳ、ＰＳ１、ＰＳ２）又はすべての位相調整器（ＰＳ、ＰＳ１、ＰＳ２）はそれぞれ、
−直列容量性素子と、
−それぞれ誘導性素子を備えた２つの並列パスと、
−該２つの並列パスをアースと相互接続する容量性素子と、を含む、Ｃ１〜１２のいずれか一項に記載のＨＦ回路。
［Ｃ１４］
前記フィルタ（ＴＸＦ、ＲＸＦ、Ｆ３、Ｆ６）は、同調可能な誘導性素子（ＩＥ）又は同調可能な容量性素子（ＫＥ）を含む、Ｃ１１又はＣ１２のいずれか一項に記載のＨＦ回路。
［Ｃ１５］
Ｃ１〜１４のいずれか一項に記載のＨＦ回路（ＨＦＳ）のすべての回路素子を構成素子に集積化した、ＨＦモジュール。